(57)【要約】【課題】  歩行時において足の指先側が締め付けられることがなく、また、足の指先に力を入れて踏ん張ることのできる履物を提供すること。【解決手段】  履物底１１０と、この履物底１１０の一方の側方から他方の側方に向かってアーチ状に形成された甲バンド１２０と、を備え、履物底１１０と甲バンド１２０との間に足を入れることにより履く履物１００であって、履物底１１０の上面１１１には、足の指に対応する部分全体に凹部１１２が形成されていることを特徴とする履物１００を提供する。【選択図】    図１
0003106216.tif 000002
【実用新案登録請求の範囲】
【請求項１】
履物底と、前記履物底に対して使用者の足を保持する甲バンドと、を備える履物であって、
前記履物底の上面には、足の指に対応する部分全体に凹部が形成されていることを特徴とする履物。
【請求項２】
前記凹部は、足の踵側から足の指の先端側に向かって深さが深くなるように傾斜が付けられていることを特徴とする請求項１に記載の履物。
【請求項３】
前記凹部の踵側の境界線は、足の親指と人差し指との間に対応する部分おいて指先側に向かって突出していることを特徴とする請求項１又は２に記載の履物。
【考案の詳細な説明】
【技術分野】
【０００１】
本考案は、履物に関し、特に、足の甲の部分を覆う甲バンドを有し、履物底と甲バンドとの間に足を入れるようにして履く履物に関する。
【背景技術】
【０００２】
従来の履物、特に、足の甲の部分を覆う甲バンドを有し、履物底と甲バンドとの間に足を入れるようにして履く履物においては、履物底の上面において足の裏が滑ってしまうことを防止するため、履物底の上面に足裏型の凹部を形成することが行われている（例えば、実開平７−２３４０４号公報）。
【考案の開示】
【考案が解決しようとする課題】
【０００３】
しかしながら、従来の履物においては、足の裏が接する部分は同一平面になるように形成されているため、歩行の際に、足の指先の側が甲バンドによって締め付けられ、歩きづらかったり、痛みを伴ったりすることがあった。
【０００４】
また、履物を履いた際に足の指先が平面状の履物底に接触し、足の指先を履物底の下面の方向に動かす余裕がないため、足の指先に力を入れて踏ん張ることができなかった。
【０００５】
そこで、本考案は、歩行時において足の指先側が締め付けられることがなく、また、足の指先に力を入れて踏ん張ることのできる履物を提供することを目的とする。
【課題を解決するための手段】
【０００６】
以上の課題を解決するため、本考案は、履物底と、前記履物底に対して使用者の足を保持する甲バンドと、を備える履物であって、前記履物底の上面には、足の指に対応する部分全体に凹部が形成されていることを特徴とする履物を提供する。
【０００７】
このように、足の指に対応する部分全体を凹部となるように形成することにより、歩行の際に、足の指の部分が締め付けられることがなくなるとともに、足の指を容易に動かすことができるため、足の指に力を入れて強く踏ん張ることができるようになる。
【０００８】
ここで、この凹部については、足の踵側から足の指の先端側に向かって深さが深くなるように傾斜を付けておくことにより、足の指を下方に曲げた際にこの凹部の内側の面が曲げられた足の指にほぼ垂直方向から接触することとなるため、足の指で強く踏ん張ることができるようになる。
【０００９】
なお、この凹部の踵側の境界線は、足の親指と人差し指との間に対応する部分において指先側に向かって突出するようにすることで、足の裏が履物底の上面において滑ってしまうことがなくなる。
【００１０】
さらに、履物底の上面は、踵の部分から指先の部分に向かって低くなるように傾斜を付けておくことで、足の指先に体重が掛かり、足の指先に力が入れやすくなる。
【考案の効果】
【００１１】
以上のように、本考案によれば、履物底の足の指に対応する部分が凹部となるようにされているため、歩行時においても、足の指先側が締め付けられることがなく、また、足の指先に力を入れて踏ん張ることができるようになる。
【考案を実施するための最良の形態】
【００１２】
図１は、本考案の第一の実施形態に係る履物１００の側面図である。
【００１３】
本実施形態に係る履物１００は、履物底１１０と、甲バンド１２０と、により構成されている。
【００１４】
本実施形態における履物底１１０は、合成ゴムにより形成されている。
【００１５】
そして、履物底１１０の上面１１１には、履物１００を履いた際に足の指に対応する部分の全体（履物底１０１の正面図を表した図２の斜線で表されている部分）に、凹部１１２が形成されている。
【００１６】
ここで、凹部１１２の形状・大きさについては、足の指に対応する部分の全体が凹面となる範囲で適時選択することができる設計事項であり、本実施形態においては、この凹部１１２については、足の踵側から足の指の先端側に向かって深さが深くなるように傾斜がつけられている。
【００１７】
このような傾斜を付けておくことにより、を付けておくことにより、足の指を下方に曲げた際にこの凹部１１２の内側の面が曲げられた足の指にほぼ垂直方向から接触することとなるため、足の指で強く踏ん張ることができるようになる。
【００１８】
なお、凹部１１２については、凹部１１２の長さＸが６５ミリメートル、凹部１１２の先端から１０ミリメートルの箇所がこの凹部１１２の最も深いところであり、その深さＤ1が、５．９ミリメートル以上、好ましくは、７ミリメートルとなるように形成されており、この最も深い位置から凹部１１２の踵側の部分までが平面状の傾斜面にされている。
【００１９】
また、本実施形態においては、凹部１１２の踵側の境界線１１３は、ほぼ直線状になるように形成されている。
【００２０】
さらに、本実施形態における履物底１１０には、踵の部分の高さＨ1が指先部分の高さＨ2よりも高くなるように傾斜が付けられている。
【００２１】
ここで、本実施形態においては、踵の部分の高さＨ1は、４５ミリメートル、指先部分の高さＨ2は、２０ミリメートルに形成されているが、このような高さに限定されない。
【００２２】
このような傾斜を付けておくことで、足の指先に体重が掛かり、足の指先に力が入れやすくなる。
【００２３】
本実施形態における甲バンド１２０は、皮革により形成されている。
【００２４】
ここで、甲バンド１２０は、履物底１１１の一方の側方から他方の側方に向かってアーチ状となるように形成されており、この甲バンド１２０と履物底１１１との間の空間に足を入れることにより、足の甲の部分に引っかかり、履物１００を履くことができるようにされている。
【００２５】
なお、甲バンド１２０の形状・大きさについては、足の甲の部分に引っかけることができる範囲で、適時選択することができる設計事項である。
【００２６】
以上のように本実施形態に係る履物１００を構成したので、甲バンド１２０と履物底１１１との間の空間に足を入れて履いた際に、足の指に対応する履物底１１１の部分が凹部１１２となるように形成されているため、歩行時においても、足の指先側が締め付けられることがなく、また、足の指先を下方に折り曲げることで、足の指先に力を入れて踏ん張ることができるようになる。
【００２７】
以上に記載した本実施形態における履物底１１０は、合成ゴムにより形成したが、これに限定されるわけではなく、例えば、樹脂、コルク、木等により形成することも可能である。
【００２８】
また、本実施形態においては、履物底１１０に形成した凹部１１２につき、最も深いところの深さＤ1が、７ミリメートルとなるように形成したが、これに限定されるわけではなく、本考案の目的を果たすことができる範囲で所定の深さとなるようにすることができる。
【００２９】
そして、凹部１１２の長さＸを６５ミリメートル、凹部１１２の先端から１０ミリメートルの箇所がこの凹部１１２の最も深いところとなるようにしているが、これらの数値についても本考案の目的を果たすことができる範囲で適時変更することができる。
【００３０】
さらに、本実施形態においては、踵の部分の高さＨ1が指先部分の高さＨ2よりも高くなるように履物底１１０に傾斜を付けているが、このような傾斜を付けずに平面状に形成することも可能である。
【００３１】
また、本実施形態における甲バンド１２０は、皮革により形成したが他の素材により形成することも可能である。
【００３２】
図３は、本考案の第二の実施形態に係る履物２００の側面図である。
【００３３】
本実施形態に係る履物２００は、履物底２１０と、二つの甲バンド２２０Ａ、２２０Ｂと、踵バンド２３０と、により構成されている。
【００３４】
本実施形態における履物底２１０は、図示していないが、ＥＶＡ（エチレン・ビニル・アセテート樹脂の発泡体）素材によるクッションを合成ゴムで覆うことにより形成されている。
【００３５】
そして、履物底２１０の上面２１１には、履物２００を履いた際に足の指に対応する部分の全体（履物底２０１の正面図を表す図４の斜線で表されている部分）に、凹部２１２が形成されている。
【００３６】
ここで、凹部２１２の形状・大きさについては、第一の実施形態と同様に、足の指に対応する部分の全体が凹面となる範囲で適時選択することができる設計事項であるが、本実施形態においては、第一の実施形態とは異なり、この凹部２１２に傾斜は付けられておらず、この凹部２１２全体がほぼ一定の深さとなるようにされている。
【００３７】
なお、本実施形態においては、この凹部の深さＤ2は、４．８ミリメートル以上、好ましくは、６ミリメートルとなるように形成されている。
【００３８】
そして、本実施形態においては、凹部の長さＹは、６４ミリメートルになるように形成しているが、このような数値に限定されない。
【００３９】
また、本実施形態においては、凹部２１２の踵側の境界線２１３は、足の親指と人差し指との間に対応する部分において指先側に向かって突出する突出部２１３ａが形成されている。
【００４０】
このように、凹部２１２の境界線２１３に突出部２１３ａを形成しておくことで、この突出部２１３ａが足の親指と人差し指に引っかかり、足の裏が履物底２１０の上面２１１において滑ってしまうことがなくなる。
【００４１】
なお、この突出部２１３ａの形状・大きさについては、足の親指と人差し指に引っかかり、足の裏が履物底２１０の上面２１１において滑ってしまうことを防止することができる範囲で適時選択することができる設計事項である。
【００４２】
また、本実施形態においても、履物底２１０には、踵の部分の高さＨ1が指先部分の高さＨ2よりも高くなるように傾斜が付けられている。
【００４３】
このような傾斜を付けておくことで、足の指先に体重が掛かり、足の指先に力が入れやすくなる。
【００４４】
本実施形態における甲バンド２２０Ａ、２２０Ｂは、ＰＶＣ（ポリ塩化ビニール）により形成されている。
【００４５】
なお、本実施形態においては、デザイン性を考慮して、二つの甲バンド２２０Ａ、２２０Ｂを用いているが、このような態様に限定されない。
【００４６】
また、これらの甲バンド２２０Ａ、２２０Ｂは、面ファスナー２２１Ａ、２２１Ｂにより、着脱自在にされており、これらの面ファスナー２２１Ａ、２２１Ｂを外した状態で、足を履物底２１０に載せ、これらの面ファスナー２２１Ａ、２２１Ｂを貼り付けることにより、容易に履物２００を履くことができるようにされている。
【００４７】
さらに、本実施形態においては、履物２００を履いた際に、足の踵の部分に引っかかる踵バンド２３０が設けられている。
【００４８】
この踵バンド２３０も面ファスナー２３１により、着脱自在にされており、これらの面ファスナー２３１を外した状態で、足を履物底２１０に載せ、これらの面ファスナー２３１を貼り付けることにより、容易に履物２００を履くことができるようにされている。
【００４９】
以上のように、本実施形態に係る履物２００を構成したので、甲バンド２２０と履物底２１１との間の空間に足を入れて履いた際に、足の指に対応する履物底２１１の部分が凹部２１２となるように形成されているため、歩行時においても、足の指先側が締め付けられることがなく、また、足の指先を下方に折り曲げることで、足の指先に力を入れて踏ん張ることができるようにされている。
【００５０】
また、本実施形態においては、凹部２１２の境界線２１３に突出部２１３ａが形成されているため、この突出部２１３ａが足の親指と人差し指に引っかかり、足の裏が履物底２１０の上面２１１において滑ってしまうことがなくなるようにされている。
【００５１】
以上に記載した本実施形態における履物底２１０は、ＥＶＡ（エチレン、ビニール、アセテート樹脂の発泡体）素材によるクッションを合成ゴムで覆うことにより形成したが、これに限定されるわけではなく、例えば、樹脂、コルク、木等他の素材により形成することも可能である。
【００５２】
また、本実施形態においては、履物底２１０に形成した凹部２１２につき、深さＤ2が、６ミリメートルとなるように形成したが、これに限定されるわけではなく、本考案の目的を果たすことができる範囲で所定の深さとなるようにすることができる。
【００５３】
さらに、本実施形態においては、踵の部分の高さＨ1が指先部分の高さＨ2よりも高くなるように履物底２１０に傾斜を付けているが、このような傾斜を付けずに平面状に形成することも可能である。
【００５４】
なお、本実施形態においても、第一の実施形態と同様に、踵の部分の高さＨ1は、４５ミリメートル、指先部分の高さＨ2は、２０ミリメートルに形成されているが、このような高さに限定されない。
【００５５】
また、本実施形態における甲バンド２２０は、ＰＶＣ（ポリ塩化ビニール）により形成したが他の素材により形成することも可能である。
【図面の簡単な説明】
【００５６】
【図１】第一の実施形態に係る履物１００の側面図。
【図２】履物底１０１の正面図。
【図３】第二の実施形態に係る履物２００の側面図。
【図４】履物底２０１の正面図。
【符号の説明】
【００５７】
１００、２００  履物
１１０、２１０  履物底
１１１、２１１  上面
１１２、２１２  凹部
１２０、２２０  甲バンド
１３０、２３０  踵バンド
【図１】
0003106216.tif 000003
【図２】
0003106216.tif 000004
【図３】
0003106216.tif 000005
【図４】
0003106216.tif 000006